(57)【要約】【課題】装置全体を小型化しつつ収納状態と使用状態とを容易に切り換えることができる保持装置を提供する。【解決手段】スライド部１１が装置本体２０に突没スライド自在に支持され、チルト部１２が起立角度を変更可能なようにスライド部１１に支持されていることで、収納状態においてはチルト部１２を突没スライド方向に沿うように倒すことにより、チルト部１２をコンパクトに収容して装置全体を小型化することができる。また、使用状態とするために起こした直後のチルト部１２において、一対の挟持部４２、４３が上下方向に対向することで、スマートフォン５を挟持させやすく、容易に使用状態とすることができ、収納状態と使用状態とを容易に切り換えることができる。【選択図】図４
2018202974.tif 000002
【特許請求の範囲】
【請求項１】
被保持物を保持する保持機構と、該保持機構を取付対象に取り付ける装置本体と、を備えた保持装置であって、
保持機構は、前記装置本体に突没スライド自在に支持されるスライド部と、起立角度を変更可能なように前記スライド部に支持されるチルト部と、を備え、
前記チルト部は、互いに近づくように付勢されて前記被保持物を挟持する一対の挟持部を有し、突没スライド方向に沿うように倒れた際に、挟持方向と突没スライド方向とが一致し、前記装置本体に収納されることを特徴とする保持装置。
【請求項２】
前記チルト部は、前記一対の挟持部を有する保持部と、該保持部を回動自在に支持する基部と、を備え、保持した前記被保持物の向きを変更可能に構成されていることを特徴とする請求項１に記載の保持装置。
【請求項３】
前記一対の挟持部のうち少なくとも一方は、前記被保持物の端縁に沿ってスライド自在に設けられた複数の当接部を有することを特徴とする請求項１又は２に記載の保持装置。
【請求項４】
前記保持機構は、前記被保持物として携帯機器を保持することを特徴とする請求項１〜３のいずれか１項に記載の保持装置。
【請求項５】
車両のインストルメントパネルに設けられることを特徴とする請求項１〜４のいずれか１項に記載の保持装置。
【発明の詳細な説明】
【技術分野】
【０００１】
本発明は、保持装置に関する。
【背景技術】
【０００２】
従来、被保持物を保持する保持装置として、車両にスマートフォン等の携帯機器を設置するための携帯機器ホルダが提案されている（例えば、特許文献１参照）。特許文献１に記載された従来の携帯機器ホルダは、ダッシュボードに装着される取付部と、取付部から延びるアーム部と、アーム部の先端に設けられて携帯機器を保持する保持部と、を備え、保持部が回動することにより、携帯機器の向きが変更可能となっている。
【先行技術文献】
【特許文献】
【０００３】
【特許文献１】特開２０１３−２５６２４０号公報
【発明の概要】
【発明が解決しようとする課題】
【０００４】
しかしながら、特許文献１に記載の携帯機器ホルダは、常に露出しており、携帯機器を保持しない場合であっても収納することができない。従って、取付対象（車室空間）の外観を悪化させてしまうことがあった。そこで、携帯機器を保持しない場合に、携帯機器ホルダを筐体等に収納する構成が考えられるが、このような構成では、大きな収納スペースが必要となり、装置全体が大型化してしまう。また、収納スペースを小さくするために携帯機器ホルダを適宜に変形させる対応も考えられるものの、このような構成では、携帯機器を保持可能な状態とするために多くの操作が必要となり、収納状態と使用状態との切り換えが困難となってしまう。
【０００５】
したがって、本発明の課題は、装置全体を小型化しつつ収納状態と使用状態とを容易に切り換えることができる保持装置を提供することが一例として挙げられる。
【課題を解決するための手段】
【０００６】
前述した課題を解決し目的を達成するために、請求項１に記載の本発明の保持装置は、被保持物を保持する保持機構と、該保持機構を取付対象に取り付ける装置本体と、を備えた保持装置であって、保持機構は、前記装置本体に突没スライド自在に支持されるスライド部と、起立角度を変更可能なように前記スライド部に支持されるチルト部と、を備え、前記チルト部は、互いに近づくように付勢されて前記被保持物を挟持する一対の挟持部を有し、突没スライド方向に沿うように倒れた際に、挟持方向と突没スライド方向とが一致し、前記装置本体に収納されることを特徴としている。
【図面の簡単な説明】
【０００７】
【図１】本発明の実施例に係る保持装置を示す正面図である。
【図２】前記保持装置に被保持物を保持させた様子を示す斜視図である。
【図３】前記保持装置を示す分解斜視図である。
【図４】前記保持装置の動作を示す斜視図である。
【図５】前記保持装置の保持機構を示す正面図である。
【図６】前記保持機構の保持部を回動させた様子を示す正面図である。
【発明を実施するための形態】
【０００８】
以下、本発明の実施形態を説明する。本発明の実施形態に係る保持装置は、被保持物を保持する保持機構と、保持機構を取付対象に取り付ける装置本体と、を備えた保持装置である。保持機構は、装置本体に突没スライド自在に支持されるスライド部と、起立角度を変更可能なようにスライド部に支持されるチルト部と、を備える。チルト部は、互いに近づくように付勢されて被保持物を挟持する一対の挟持部を有し、突没スライド方向に沿うように倒れた際に、挟持方向と突没スライド方向とが一致し、装置本体に収納される。
【０００９】
スライド部が装置本体に突没スライド自在に支持され、チルト部が起立角度を変更可能なようにスライド部に支持されていることで、収納状態においてはチルト部を突没スライド方向に沿うように倒すことにより、チルト部をコンパクトに収容して装置全体を小型化することができる。また、使用状態とするためにはチルト部を起こせばよく、起こした直後のチルト部において、一対の挟持部が上下方向に対向する（即ち、被保持物を上下方向から挟持する状態となる）。挟持部が水平方向（左右方向）から被保持部を挟持する場合、保持装置と使用者との水平方向における位置関係によって挟持させやすさが変化する。一方、上下方向から挟持する場合、保持装置と使用者との水平方向における位置関係によらず被保持物を容易に挟持させることができる。
【００１０】
また、被保持物が長方形状に形成されて画面（表示面）を有する場合、長辺を挟持する（即ち短辺方向と挟持方向とを一致させる）と保持しやすく、上下方向から挟持することにより画面が横向きとなる。長方形状の画面には横長の画像が表示されることがあり、起こした直後のチルト部において、一対の挟持部が上下方向に対向することで、横長の画像を表示させる場合に利便性を向上させることができる。また、被保持物が水平方向において使用者の正面に位置しない場合（例えば、車両等の移動体において使用者が運転席に着席し、被保持物が運転席と助手席との中間に配置される場合）、被保持物を水平方向から挟持すると、使用者の視点と画面との間に挟持部が位置しやすく、表示の妨げとなる可能性がある。一方、被保持物を上下方向から挟持することにより、表示の妨げとなりにくい。以上のように、起こした直後のチルト部において一対の挟持部が上下方向に対向することで、起こしたチルト部をさらに回動させることで一対の挟持部を上下方向に対向させる構成と比較して、収納状態と使用状態とを容易に切り換えることができる。
【００１１】
チルト部は、一対の挟持部を有する保持部と、保持部を回動自在に支持する基部と、を備え、保持した被保持物の向きを変更可能に構成されていることが好ましい。それにより、上記のように上下方向に対向した一対の挟持部に被保持物を挟持させた後、被保持物が適宜な向きとなるように保持部を回動させることができる。
【００１２】
一対の挟持部のうち少なくとも一方は、被保持物の端縁に沿ってスライド自在に設けられた複数の当接部を有することが好ましい。それにより、被保持物の寸法に応じて当接部をスライドさせることにより、被保持物を安定して挟持させることができる。
【００１３】
保持機構は、被保持物として携帯機器を保持してもよいし、保持装置は、車両のインストルメントパネルに設けられてもよい。尚、ここにいう携帯機器とは、使用者によって携帯される電子機器であって、スマートフォンやタブレット端末やゲーム機器等が一例として挙げられる。
【実施例】
【００１４】
以下、本発明の実施例について図を参照して具体的に説明する。本実施例の保持装置は、車載機器であって、車両の運転席におけるインストルメントパネルに搭載されて使用される。また、本実施例の保持装置は、保持対象の長方形板状の被保持物として、携帯機器の一例であるスマートフォンを保持する。
【００１５】
本実施例の保持装置１は、図１〜３に示すように、スマートフォン５の保持機構１０と、インストルメントパネルに搭載される矩形箱状の装置本体２０と、を備えている。
【００１６】
保持機構１０は、装置本体２０に突没自在に保持される。また、保持機構１０は、装置本体２０に、突没スライド自在に支持されるスライド部１１と、このスライド部１１に軸支されてスマートフォン５を保持するチルト部１２と、を備えている。保持機構１０は、スマートフォン５を保持させる際には、装置本体２０から図３に示されている突没方向Ｄ１１における突出方向Ｄ１１１にスライド部１１が引き出され、チルト部１２が図２示されている回動方向Ｄ１２における起立方向Ｄ１２１に立てられる。チルト部１２は、後述するように基部３及び保持部４を有しており、保持部４の起立角度を変更可能なようにスライド部１１に支持されている。そして、この立てられたチルト部１２にスマートフォン５を保持させるように構成されている。
【００１７】
装置本体２０は、矩形箱状の装置本体２０における上壁と一対の側壁とをなす上シャーシ２１と、下壁をなす下シャーシ２２と、を備えている。上述の保持機構１０のスライド部１１は、上シャーシ２１の上壁に突没スライド自在に支持されている。下シャーシ２２には、矩形箱状の装置本体２０における背面側の一端辺に、この装置本体２０における背面壁をなす長方形状の背面基板２２１が立設されている。この背面基板２２１には、外部機器との各種接続コネクタや、スマートフォン５との間で、例えばブルートゥース（登録商標）規格等に則った短距離通信を行うためのアンテナ等が搭載されている。また、下シャーシ２２の内面には、背面基板２２１と電気的に接続された内面基板２２２が取り付けられている。
【００１８】
また、装置本体２０は、装置本体２０における正面壁をなして使用者インタフェースの役割を担う長方形板状の着脱可能なフロントパネル部２３と、このフロントパネル部２３を着脱自在、かつ、回動自在に保持するパネル部２４と、を備えている。パネル部２４は、上シャーシ２１及び下シャーシ２２に固定される。このパネル部２４は、上シャーシ２１に支持される保持機構１０と干渉しないように切欠きが設けられた形状に形成されている。フロントパネル部２３の長手方向の両端には、回動軸をなす一対の軸突起２３１が設けられ、これら一対の軸突起２３１が、パネル部２４における一対の保持アーム２４１に、着脱自在かつ回動自在に保持される。
【００１９】
本実施例の保持装置１では、上シャーシ２１に支持される保持機構１０と、パネル部２４と、のそれぞれが、下シャーシ２２の内面基板２２２に、ケーブル２２３で電気的に接続されている。本実施例では、図２に示されているように保持されたスマートフォン５に対するタッチ操作や、フロントパネル部２３に対するボタン操作により、例えばスマートフォン５の画面上への地図情報の表示や、車載オーディオ機器からの音楽の再生等を行うことができる。また、保持したスマートフォン５に対する充電を、保持機構１０と内面基板２２２とを繋ぐケーブル２２３と、スマートフォン５から延伸して保持機構１０に接続した充電ケーブルと、を介して行うこともできる。
【００２０】
以上に説明した保持装置１には、次のような手順によってスマートフォン５を保持させる。
【００２１】
図４は、図１〜図３に示されている保持装置にスマートフォンを保持させるための一例の手順を示す模式図である。尚、この図４では、図を見易くするために、装置本体２０については、上シャーシ２１のみが示されている。以下に説明する手順は、使用者の手作業によって行われる。
【００２２】
まず、ステップＳ１１及びステップＳ１２において、装置本体２０から突出方向Ｄ１１１に保持機構１０が引き出される。このとき、本実施例では、フロントパネル部２３は、保持機構１０の動きの邪魔とならないように、図３に示されている軸突起２３１を回動中心として回動されて前方に倒されるか、パネル部２４から取り外される。またこのとき、保持機構１０において、後述する保持爪４２１、４３１が引き出し方向に対向して（即ち並んで）いる。即ち、保持機構１０の挟持方向と、スライド部１１の突没スライド方向と、が一致した状態で保持機構１０が装置本体２０に収納されるようになっている。
【００２３】
続くステップＳ１３では、保持機構１０において、チルト部１２がスライド部１１に対して起立方向Ｄ１２１に立てられる。このとき、チルト部１２は、スライド部１１に軸支された基部３と、基部３によって回動自在に支持される保持部４と、を備え、保持部４において、計３本の保持爪４２１、４３１によってチャッキング機構４６が構成されている。本実施例では、このステップＳ１３でチルト部１２が立てられた状態では、チャッキング機構４６は、１本の保持爪４３１が上部側に位置し、２本の保持爪４２１が下部側に位置する姿勢となっている。また、チャッキング機構４６では、上部側となる１本の保持爪４３１が、下部側となる２本の保持爪４２１に向かってバネ付勢されている。
【００２４】
ステップＳ１４では、このチャッキング機構４６におけるバネ付勢に抗して上部側の保持爪４３１が引上げ方向Ｄ１３１に引き上げられる。
【００２５】
そして、ステップＳ１５において、上記のように引き上げられた上部側の保持爪４３１と、下部側の保持爪４２１と、の間に、スマートフォン５が、その長手方向が水平方向を向く横向きで配置される。使用者が上部側の保持爪４３１を離すと、上記のバネ付勢により上部側の保持爪４３１が下降方向Ｄ１３２に動く。これにより、上部側の保持爪４３１と、下部側の保持爪４２１と、でスマートフォン５が挟持される。
【００２６】
ここで、本実施例では、チルト部１２において、チャッキング機構４６を有する保持部４が、スマートフォン５の画面の面直方向に沿った回動軸Ｏ１を中心とした回動方向Ｄ１４に回動自在に取り付けられている。上記のようにステップＳ１５の段階では、スマートフォン５は横向き（その長手方向が水平方向を向いた状態）で保持されている。使用者が、このスマートフォン５を縦向き（その長手方向が上下方向を向いた状態）にして表示画面を見たいと考えた場合、次のステップＳ１６によって、スマートフォン５を縦向きとすることができる。即ち、ステップＳ１６では、スマートフォン５ごと、チャッキング機構４６が、回動軸Ｏ１を中心として図中の時計回りに９０°回動される。この回動によりスマートフォン５が縦向きとなる。また、この後、使用者が、スマートフォン５を横向きにして表示画面を見たいと考えた場合には、チャッキング機構４６が図中の反時計回りに９０°戻されて、スマートフォン５が横向きとされる。
【００２７】
また、本実施例では、使用者は、保持機構１０を引き出した後の任意のタイミングでフロントパネル部２３を戻す。その結果、スマートフォン５の保持を行なった後の外観が、例えば図２示されているような外観となる。スマートフォン５が外されて保持機構１０が装置本体２０に収納される際には、図４に示されている手順とは逆の手順によって、保持機構１０の収納が行われる。
【００２８】
ここで、保持部４の詳細な形状について説明する。以下では、車両の前後方向（進行方向）をＸ方向とし、車幅方向（左右方向）をＹ方向とし、上下方向をＺ方向とし、保持装置１は、スマートフォン５をＸ方向後方側に向けて（即ち画面がＹＺ平面に沿うように）保持するものとする。また、長方形状のスマートフォン５の短辺方向を幅方向とする。
【００２９】
保持部４は、図５に示すように、スマートフォン５の背面に位置してＹＺ平面に沿って延びる矩形板状の保持板部４１と、保持板部４１の一辺に配置された固定挟持部４２と、保持板部４１の背面に重ねられるとともに保持爪４３１を有する移動挟持部４３と、移動挟持部４３を固定挟持部４２に近づけるように付勢する付勢手段と、を有する。尚、図５は、スマートフォン５を保持していない状態（上記のステップＳ１３の状態）を示しており、各部の寸法および位置関係については、特に説明がない限りこの状態を基準とする。
【００３０】
固定挟持部４２は、２つの保持爪４２１によって構成されている。２つの保持爪４２１は、保持板部４１の外縁に沿って並ぶとともにスライド自在に設けられており、スマートフォン５の端縁に沿ってスライドして当接部として機能する。また、２つの保持爪４２１は、それぞれ範囲Ａ１、Ａ２においてスライド自在となっており、最接近状態において互いに所定の間隔をあけるとともに、最離隔状態において、保持板部４１の隅部に位置する。また、固定挟持部４２は、図５に示す状態において、基部３の下端３１と略同一高さ（同程度の高さ又はやや上方）に配置されている。
【００３１】
保持部４が基部３によって軸支される回動軸（回動中心）Ｏ１は、矩形板状の基部３のＹ方向中央部に配置されている。また、スマートフォン５を保持しない非挟持状態において、回動軸Ｏ１は、固定挟持部４２よりも移動挟持部４３の近くに配置されている。また、回動軸Ｏ１は、挟持部４２、４３による挟持方向（Ｚ方向）との直交方向（Ｙ方向）において、保持板部４１の中央部に配置される。ここで、上記の直交方向における保持板部４１の寸法の半分（即ち、回動軸Ｏ１からＹ方向における保持板部４１の端縁４１１までの距離）をＬ１とし、Ｚ方向における回動軸Ｏ１から固定挟持部４２までの距離をＬ２とする。本実施例では、距離Ｌ２が距離Ｌ１よりも長い。また、距離Ｌ２は、所定寸法（例えば５インチ）のスマートフォン５の幅の略半分であるとともに、基部３のＹ方向寸法の略半分である。即ち、基部３のＹ方向寸法は、所定寸法のスマートフォン５の幅と略等しい。
【００３２】
移動挟持部４３は、所定幅（距離Ｌ２の２倍）を有するスマートフォン５を挟持可能な移動範囲を有しており、固定挟持部４２よりも回動軸Ｏ１から離れた位置まで移動可能となっている。即ち、非挟持状態において、固定挟持部４２と回動軸Ｏ１との間隔が、移動挟持部４３と回動軸Ｏ１との間隔よりも大きく、且つ、移動挟持部４３は、回動軸Ｏ１との間隔が、固定挟持部４２と回動軸Ｏ１との間隔よりも大きくなるように移動可能となっている。また、挟持部４２、４３によって所定幅を有するスマートフォン５を挟持した際、挟持方向におけるスマートフォン５の中央部と、回動軸Ｏ１と、が略一致する。
【００３３】
このような保持部４によって所定寸法のスマートフォン５を挟持するために移動挟持部４３を移動させると、固定挟持部４２と移動挟持部４３との中間に回動軸Ｏ１が位置し、スマートフォン５の幅方向中央部と、回動軸Ｏ１と、が略一致する。
【００３４】
ここで、図５に示す状態から、保持部４を略９０°回動させた様子（上記のステップＳ１６の状態）を図６に示す。このとき、固定挟持部４２は、基部３のＹ方向一方側の端縁３２に重なる。さらに、距離Ｌ２が距離Ｌ１よりも長いことから、回動後の保持板部４１の端縁４１１は、回動前の固定挟持部４２よりもＺ方向において上方に位置する。
【００３５】
図６に示す状態において、距離Ｌ２がスマートフォン５の幅の略半分であり、回動軸Ｏ１がＹ方向において基部３の中央部に配置され、固定挟持部４２が基部３の端縁３２に重なっていることから、所定寸法のスマートフォン５を挟持した際、移動挟持部４３が他方側の端縁３３に重なり、スマートフォン５及び基部３のＹ方向中央部同士が略一致する。また、所定寸法のスマートフォン５及び基部３のＹ方向両側の端縁同士が揃う。
【００３６】
上記の構成により、スライド部１１が装置本体２０に突没スライド自在に支持され、チルト部１２が起立角度を変更可能なようにスライド部１１に支持されていることで、収納状態においてはチルト部１２を突没スライド方向に沿うように倒すことにより、チルト部１２をコンパクトに収容して装置全体を小型化することができる。
【００３７】
また、使用状態とするためにはチルト部１２を起こせばよく、起こした直後のチルト部１２において、一対の挟持部４２、４３が上下方向に対向する。上下方向から挟持する場合、保持装置１と使用者とのＹ方向における位置関係によらずスマートフォン５を容易に挟持させることができる。起こした直後のチルト部１２において、一対の挟持部４２、４３が上下方向に対向することで、スマートフォン５に横長の画像を表示させる場合に利便性を向上させることができる。また、スマートフォン５が水平方向において使用者の正面に位置しない場合、スマートフォン５を水平方向から挟持すると、使用者の視点と画面との間に挟持部４２、４３が位置しやすく、表示の妨げとなる可能性がある。一方、スマートフォン５を上下方向から挟持することにより、表示の妨げとなりにくい。加えて、上下方向から挟持する場合にはスマートフォンが横向きの状態であるため、フロントパネル部２３に備わる表示画面による表示を妨げず、さらにはフロントパネル部２３に備わる操作ボタンに対する操作の妨げとなりにくい。以上のように、起こした直後のチルト部１２において一対の挟持部４２、４３が上下方向に対向することで、起こしたチルト部をさらに回動させることで一対の挟持部を上下方向に対向させる構成と比較して、収納状態と使用状態とを容易に切り換えることができる。
【００３８】
保持部４が基部３によって回動自在に支持されていることで、上記のように上下方向に対向した一対の挟持部４２、４３にスマートフォン５を挟持させた後、スマートフォン５が適宜な向きとなるように保持部４を回動させることができる。
【００３９】
さらに、固定挟持部４２が、スマートフォン５の端縁に沿って並ぶとともにスライド自在に設けられた２つの保持爪４２１によって構成されていることで、スマートフォン５の寸法に応じて保持爪４２１をスライドさせることにより、スマートフォン５を安定して挟持させることができる。さらに、２つの保持爪４２１のそれぞれがスライド移動により位置調整可能であることから、スマートフォン５の側面に存在する音量ボタンや電源ボタン等の操作ボタンや、側面に接続する充電コネクタなどを避けるように２つの保持爪４２１を移動させ、スマートフォン５を挟持することができる。
【００４０】
なお、本発明は、前記実施例に限定されるものではなく、本発明の目的が達成できる他の構成等を含み、以下に示すような変形等も本発明に含まれる。
【００４１】
例えば、前記実施例では、チルト部１２が基部３と保持部４とを有して保持したスマートフォン５の向きを変更可能に構成されているものとしたが、チルト部が回動機構を有しておらず、スマートフォン５が一定の向きで使用される構成としてもよい。
【００４２】
また、前記実施例では、固定挟持部４２がスライド自在な２つの保持爪４２１によって構成されるものとしたが、移動挟持部がスライド可能な複数の保持爪を有していてもよい。また、例えば保持爪の幅（スマートフォン５の端縁に沿った寸法）が充分に大きい場合や、充分な数の保持爪が設けられている場合等、様々な寸法のスマートフォンを保持可能に構成されている場合、保持爪はスライド不能であってもよい。
【００４３】
また、前記実施例では、チルト部１２が上方に向かうように起立角度を変更してスマートフォン５を保持するものとしたが、チルト部は、下方に向かうように起立角度を変更して被保持物を保持してもよい。
【００４４】
また、前記実施例では、保持装置１がスマートフォンを保持するものとしたが、保持対象である被保持物は、スマートフォン等の通信機器に限定されず、例えば通信機能を有しておらず単に記録媒体に記憶された映像等を再生する再生機器であってもよいし、画面を有していないものであってもよい。また、被保持物が携帯機器である場合、その携帯機器は、本実施例のようにスマートフォンに限るものでもなく、例えばタブレット端末やゲーム機器等であってもよい。
【００４５】
また、前記実施例では、保持装置が車両のインストルメントパネルに設けられるものとしたが、保持装置は、船舶や航空機等、車両以外の移動体に設けられてもよいし、建物内の壁や家具等に設けられてもよい。
【００４６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４７】
１          保持装置
１０        保持機構
１１        スライド部
１２        チルト部
２０        装置本体
３          基部
４          保持部
４２        固定挟持部
４３        移動挟持部
５          スマートフォン（被保持物）
【図１】
2018202974.tif 000003
【図２】
2018202974.tif 000004
【図３】
2018202974.tif 000005
【図４】
2018202974.tif 000006
【図５】
2018202974.tif 000007
【図６】
2018202974.tif 000008